(57)【要約】【課題】不要な光が入射するのを防ぐため、レンズ枠間、レンズ間に遮光シートを保持する際に、遮光シートの平な面に対して、レンズ枠やレンズの固定面が平面ではなく、曲面や複数面の変化する面になっている場合に、遮光シートが固定面に合わせ変形しないため、レンズやレンズ枠を持ち上げて浮かしてしまうことがある。また、遮光シートを貼り付ける場合には、遮光シートが浮き、貼り付き面積が十分取れないため、剥がれ易くなる。【解決手段】  他の部分よりも強度の弱い部分を有する遮光シートを用いてレンズを固定したことを特徴とする、また前記強度の弱い部分が、遮光シートの固定面が変化する箇所であってもよい。また、強度の弱い部分がスリットを有していてもよい。【選択図】図１
2017040718.tif 000002
【特許請求の範囲】
【請求項１】
他の部分よりも強度の弱い部分を有する遮光シートを用いてレンズを固定したことを特徴とするレンズ鏡筒。
【請求項２】
前記強度の弱い部分が、遮光シートの固定面が変化する箇所であることを特徴とする請求項1に記載のレンズ鏡筒。
【請求項３】
前記強度の弱い部分がスリットを有することを特徴とする請求項２に記載のレンズ鏡筒。
【請求項４】
請求項１〜３のいずれか一項に記載のレンズ鏡筒を備えた撮像装置。
【発明の詳細な説明】
【技術分野】
【０００１】
本発明は、撮像装置に用いられるレンズ鏡筒、および、レンズ鏡筒を有する撮像装置に関する。
【背景技術】
【０００２】
一般にレンズ鏡筒には、不要な光がカメラ内に入射し、フィルムやＣＣＤ、ＣMOSの受光面に入射するのを防ぐために、鏡筒の内壁面にシボを形成し、このシボにより不要な光を乱反射させたり、または、遮光シートを鏡筒内壁面やレンズ枠やレンズに貼り付けたり、レンズ枠間やレンズ間に挟みこみ設けられ、遮光する方法が知られている。
【０００３】
また、２枚の遮光シートを使用し、遮光部にスリットを入れた遮光シートのスリットから漏れる光線をもう１枚の遮光シートで遮光する方法が先行技術としてある。
【先行技術文献】
【特許文献】
【０００４】
【特許文献１】特開平０６−２７３６５１号公報
【発明の概要】
【発明が解決しようとする課題】
【０００５】
近年では、より光学性能が求められるようになり、レンズ鏡筒のレンズ枚数も増え、より複雑なレンズ構成となっている。そのため、鏡筒に使用される遮光シートの枚数も増え取り付け方も様々になっている。
【０００６】
不要な光が入射するのを防ぐために、レンズ鏡筒の内壁面やレンズ枠やレンズに遮光シートを接着剤によって貼り付けたり、粘着材によって貼り付けしたり、または、レンズ枠やレンズの間に挟みこみ保持される。しかしながら、遮光シートを貼り付ける際、またはレンズ枠間、レンズ間に遮光シートを固定する際に、遮光シートの平な面に対して、レンズ枠やレンズの固定面が平面ではなく、曲面や複数の変化する面になり、固定面が変化する場合には、遮光シートを固定面に合わせて正確に貼ることは非常に困難である。これより、遮光シートが浮き、貼り付き面積が十分取れないため、剥がれ易くなる。また、レンズ枠間やレンズ間に挟み込む際に、遮光シートが浮くことで、遮光シートの上に置くレンズ枠やレンズを浮かしてしまう。特に小型の軽いレンズは浮き易くなる。
【０００７】
これらを解消するため、遮光シートを薄くすることで、変化する固定面に対して遮光シートが変形し、固定面に合わせて貼り付けたり、または、固定面に合わせて保持することができる。しかし、この場合には、遮光シートが薄いため、コシがなく垂れたり、また、静電気の影響を受け、遮光シートが固定面以外の箇所に貼りついたり、組立てが非常に困難となる。また、薄くなることで、遮光性も低下してしまう問題があった。
【０００８】
本発明は遮光シートの組立て性を損なうことなく、不要な光を遮光することが可能なレンズ鏡筒、または、そのようなレンズ鏡筒を有する撮像装置を提供することができる。
【課題を解決するための手段】
【０００９】
本発明のレンズ鏡筒は、上記課題を解決するために、他の部分よりも強度の弱い部分を有する遮光シートを用いてレンズを固定したことを特徴とする。
【発明の効果】
【００１０】
本発明によれば、組立て性や光学性能を損なうことなく、また、曲面、複数面の変化する固定面に合わせて固定することができるため、遮光シートの剥がれや、レンズ枠やレンズを浮かすことなく、不要な光を遮光することが可能なレンズ鏡筒、または、そのようなレンズ鏡筒を有する撮像装置を提供することができる。
【図面の簡単な説明】
【００１１】
【図１】実施例１におけるレンズ鏡筒の概略断面図
【図２】実施例１の遮光シートの保持詳細図
【図３】実施例１における遮光シート図
【図４】実施例１における他形態の遮光シート図
【図５】実施例２における遮光シート図
【図６】実施例３における遮光シート図
【図７】実施例３における遮光シートの断面図
【発明を実施するための形態】
【００１２】
本発明の実施の形態を図面に参照して説明する。図１は本発明に係るレンズ鏡筒の実施形態の構成例を示す断面図である。また、図２は遮光シートの保持部の詳細図、図３は実施例１における遮光シートの形態図である。図４は実施例１における遮光シートの他形態の図である。図５は遮光シートの実施例２の形態図である。図５は遮光シートの実施例３の形態図である。図６は遮光シートの実施例３の断面図である。
【００１３】
（実施例１）
図１ではレンズ鏡筒１０にレンズ１１とレンズ１２が勘合されている。レンズ１２はレンズ鏡筒１０に勘合され、その前に遮光シート１３が勘合され、その前にレンズ１１が勘合されている。レンズ１１はレンズ鏡筒１０の熱加締めツメ部１０ａを熱加締めすることでレンズ鏡筒１０に保持される。レンズ１２は遮光シート１３を介してレンズ１１によって前から固定される。遮光シート１３はレンズ１１とレンズ１２、レンズ鏡筒１０とレンズ１１によって挟み込まれ保持される。遮光シート１３は、レンズ鏡筒１０のレンズ１１受け平面部１０ｂとレンズ１１の平面部１１ｂによって挟み込まれ固定される部分と、レンズ１１の角部１１ｃとレンズ１２の曲面部１２ｃによって挟み込まれ固定される部分があり、遮光シート１３が固定される固定面が変化している。遮光シート１３が固定される固定面が変化する箇所に相当する、遮光シート１３の位置に遮光シート１３は点線状スリット部１３ｄ（図３）を有している。そのため、点線スリット１３ｄにより、遮光シート１３は点線スリット１３ｄを境にして、レンズ鏡筒１０のレンズ１１受け平面部１０ｂとレンズ１１の平面部１１ｂによって挟み込まれ固定される部分と、レンズ１１の角部１１ｃとレンズ１２の曲面部１２ｃによって挟み込まれ固定される部分の変化する固定面に合わせて変形する。遮光シート１３が変形することでレンズ１１が持ち上げられることなく、固定される。
【００１４】
尚、遮光シート１３の点線スリット１３ｄは、離間して設けられた複数の線状スリットの集まり（図３）になっている。また、線状スリットは、離間して設けられた複数の穴１３ｅの集まりでも代用できる。(図４)
【００１５】
（実施例２）
実施例１の鏡筒１０とレンズ１１、レンズ１２、遮光シート１３の構成において、遮光シート１３は、遮光シートの固定面が変化する箇所に相当する位置に、点線スリット１３ｄを有し、点線スリット１３ｄから放射状に外側に向け複数のスリット１３ｆを有している。  （図５）
【００１６】
（実施例３）
実施例１の鏡筒１０とレンズ１１、レンズ１２、遮光シート１３の構成において、遮光シート１３は、遮光シート１３の固定面が変化する箇所に相当する位置に、Ｖ字溝１３ｇを有している。  （図５、図６）
【００１７】
以上、本発明の好ましい実施例について説明したが、本発明はこれらの実施例に限定さ
れないことはいうまでもなく、その要旨の範囲内で種々の変形及び変更が可能である。
【符号の説明】
【００１８】
１０  レンズ鏡筒
１０ａ 熱加締めツメ部
１０ｂ レンズ１１受け平面部
１１  レンズ
１１ｂ 平面部
１１ｃ 角部
１２  レンズ
１２ｃ 曲面部
１３  遮光シート
１３ｄ 点線スリット部
１３ｅ 複数の穴部
１３ｆ スリット部
１３ｇ Ｖ字溝部  ９ａ    回転軸孔
９ｂ    穴部
９ｃ    突き当たり部
９ｄ    突き当たり部
【図１】
2017040718.tif 000003
【図２】
2017040718.tif 000004
【図３】
2017040718.tif 000005
【図４】
2017040718.tif 000006
【図５】
2017040718.tif 000007
【図６】
2017040718.tif 000008
【図７】
2017040718.tif 000009